(57)【要約】      （修正有）【課題】ユーザ認証の利用の有無にかかわらず、原稿画像の読取送信処理において、処理を指示したユーザとは別のユーザによる誤操作を抑止することができる画像処理システム、その制御方法及びプログラムを提供する。【解決手段】ＭＦＰ１０３は、ネットワークＩ／Ｆ２１９を介してタブレット型端末から第１の送信処理の指示を受信した場合に、操作部２２０の操作状態に基づいて第１の送信処理の受け付けの可否を判定する。操作部２２０にトップ画面が表示されているかまたは、最後に操作部２２０が操作されてから一定時間が経過している場合は、第１の送信処理の受け付けが許可される。受け付けを許可した場合、ＣＰＵ２１１は、スキャナ２２２を制御して原稿を読み取らせ画像データを生成させると共に、モデム２２３を制御して、画像データをファックス送信させる。受け付けを許可しなかった場合、ＭＦＰ１０３は第１の送信処理を実行しない。【選択図】図２
2019036970.tif 000002
【特許請求の範囲】
【請求項１】
ユーザからの操作を受け付ける操作手段と、
原稿を読み取って画像データを生成する読取手段と、
前記読取手段により生成された画像データを送信する送信手段と、
前記読取手段に原稿を読み取らせると共に前記読取手段により生成された画像データを前記送信手段に送信させる読取送信処理の指示を、受信する受信手段と、
前記受信手段により前記読取送信処理が受信された場合に、前記操作手段の操作状態に基づいて、前記読取送信処理の受け付けの可否を判定し、その判定の結果、前記読取送信処理の受け付けを許可した場合は、前記読取手段及び前記送信手段を制御して前記読取送信処理を実行する制御手段と、を有することを特徴とする画像処理システム。
【請求項２】
前記制御手段は、前記読取送信処理の受け付けを許可しなかった場合は、前記読取送信処理を実行することなく、受け付けを許可しなかった旨を示す情報を、前記読取送信処理の指示の送信元に対して送信することを特徴とする請求項１に記載の画像処理システム。
【請求項３】
前記読取送信処理の指示の送信元のユーザを認証するための認証機能を有し、
前記制御手段は、前記認証機能が有効である場合、前記操作手段の操作状態にかかわらず、前記認証機能による認証の結果に基づいて前記読取送信処理の受け付けの可否を判定することを特徴とする請求項１または２に記載の画像処理システム。
【請求項４】
前記制御手段は、前記読取送信処理が受信され且つ前記認証機能が無効である場合に、前記操作手段の操作状態に基づいて前記読取送信処理の受け付けの可否を判定することを特徴とする請求項３に記載の画像処理システム。
【請求項５】
前記制御手段は、当該画像処理システムで実行する機能の選択のための画面が前記操作手段に表示されている場合は、前記読取送信処理の受け付けを許可することを特徴とする請求項１〜４のいずれか１項に記載の画像処理システム。
【請求項６】
前記制御手段は、選択された機能に関するパラメータを設定するための画面が前記操作手段に表示されている場合は、前記読取送信処理の受け付けを許可しないことを特徴とする請求項５に記載の画像処理システム。
【請求項７】
前記制御手段は、前記操作手段に対する操作が一定時間以上継続して無い場合は、前記読取送信処理の受け付けを許可することを特徴とする請求項１〜６のいずれか１項に記載の画像処理システム。
【請求項８】
ユーザからの操作を受け付ける操作手段と、原稿を読み取って画像データを生成する読取手段と、前記読取手段により生成された画像データを送信する送信手段と、を備える画像処理システムの制御方法であって、
前記読取手段に原稿を読み取らせると共に前記読取手段により生成された画像データを前記送信手段に送信させる読取送信処理の指示を、受信する受信工程と、
前記受信工程により前記読取送信処理が受信された場合に、前記操作手段の操作状態に基づいて、前記読取送信処理の受け付けの可否を判定し、その判定の結果、前記読取送信処理の受け付けを許可した場合は、前記読取手段及び前記送信手段を制御して前記読取送信処理を実行する制御工程と、を有することを特徴とする画像処理システムの制御方法。
【請求項９】
請求項８に記載の画像処理システムの制御方法をコンピュータに実行させることを特徴とするプログラム。
【発明の詳細な説明】
【技術分野】
【０００１】
本発明は、情報処理装置等から受信した指示に従って、原稿画像を読み取って送信する技術に関する。
【背景技術】
【０００２】
従来、情報処理装置としてのクライアントコンピュータで生成した画像データを、ＬＡＮ（Ｌｏｃａｌ  Ａｒｅａ  Ｎｅｔｗｏｒｋ）を介してファックス装置に送信し、ファックス装置からファックス送信する機能が知られている。この機能を用いる場合、ファックス送信の宛先はクライアントコンピュータ側でユーザが指定することが可能である。
【０００３】
一方、クライアントコンピュータ側で画像データを準備せず、ユーザが指定した宛先のみをファックス装置に通知し、ファックス装置側で原稿を読み取って生成した画像データを、指定された宛先にファックス送信する機能も知られている（特許文献１）。
【０００４】
例えば、クライアントコンピュータで生成したカバーページと、ファックス装置で本文原稿を読み取って得られる画像データの両方を、ファックス送信したい場合が考えられる。このとき、クライアントコンピュータから送信された、ファックスの宛先情報とカバーページ情報とに基づきファックス装置でジョブを生成し、そのジョブの実行の際に、スキャンした本文原稿の読み取り画像を付加して送信することが可能である。
【先行技術文献】
【特許文献】
【０００５】
【特許文献１】特開平７−２８８６２５号公報
【発明の概要】
【発明が解決しようとする課題】
【０００６】
ところが、クライアントコンピュータからの送信指示に基づきファックス装置でジョブを生成したときに、別のユーザがファックス装置を操作している場合がある。すると、クライアントコンピュータから指示されたジョブに対して、別のユーザが誤って操作を行ってしまう可能性がある。このような、別のユーザによる誤操作は回避する必要がある。
【０００７】
ここで、ファックス装置がユーザ認証機能を用いてユーザ管理をしている場合、クライアントコンピュータからファックス装置にジョブ生成指示を送信する際に、ユーザの認証情報を一緒に送信することで、ファックス装置側でユーザ認証を行える。ユーザ認証を利用すれば、ファックス装置側では、ファックス装置を操作しているユーザと、クライアントコンピュータからジョブ生成指示を送信したユーザとを判別できるので、誤操作は回避される。しかし、ファックス装置でユーザ認証の機能を用いることが必須となるのは使い勝手が良くない。
【０００８】
本発明は上記従来技術の問題を解決するためになされたものであり、その目的は、ユーザ認証の利用の有無にかかわらず、原稿画像の読取送信処理に関し、処理を指示したユーザとは別のユーザによる誤操作を抑止することにある。
【課題を解決するための手段】
【０００９】
上記目的を達成するために本発明は、ユーザからの操作を受け付ける操作手段と、原稿を読み取って画像データを生成する読取手段と、前記読取手段により生成された画像データを送信する送信手段と、前記読取手段に原稿を読み取らせると共に前記読取手段により生成された画像データを前記送信手段に送信させる読取送信処理の指示を、受信する受信手段と、前記受信手段により前記読取送信処理が受信された場合に、前記操作手段の操作状態に基づいて、前記読取送信処理の受け付けの可否を判定し、その判定の結果、前記読取送信処理の受け付けを許可した場合は、前記読取手段及び前記送信手段を制御して前記読取送信処理を実行する制御手段と、を有することを特徴とする。
【発明の効果】
【００１０】
本発明によれば、ユーザ認証の利用の有無にかかわらず、原稿画像の読取送信処理に関し、処理を指示したユーザとは別のユーザによる誤操作を抑止することができる。
【図面の簡単な説明】
【００１１】
【図１】画像形成システムを含むネットワークの全体構成を示す図である。
【図２】ＭＦＰのハードウェア構成図である。
【図３】ＭＦＰのソフトウェア構成図である。
【図４】タブレット型端末のハードウェア構成図である。
【図５】第１の送信処理の指示を送信しようとする際に表示されるファックス送信アプリケーションの操作画面の一例を示す図である。
【図６】第１の送信処理を指示する場合の処理のシーケンスを示す図である。
【図７】原稿スキャン受け付け画面を示す図である。
【図８】データ管理アプリケーションの操作画面の一例を示す図である。
【図９】第２の送信処理の指示を送信しようとする際に表示されるファックス送信アプリケーションの操作画面の一例を示す図である。
【図１０】第２の送信処理を指示する場合の処理のシーケンスを示す図である。
【図１１】スキャンコマンド受け付け判定処理を示すフローチャートである。
【図１２】操作部に表示される画面の遷移を示した図である。
【発明を実施するための形態】
【００１２】
以下、本発明の実施の形態を図面を参照して説明する。なお、以下の実施の形態は特許請求の範囲に係る発明を限定するものでなく、また実施の形態で説明されている特徴の組み合わせの全てが発明の解決手段に必須のものとは限らない。
【００１３】
図１は、本発明の一実施の形態に係る画像形成システムを含むネットワークの全体構成を示す図である。本実施の形態では、画像形成装置としてＭＦＰ（Multi-Function-Peripheral）１０３を例示する。情報処理装置の一例であるタブレット型端末１０１は、無線ネットワークルータ（無線アクセスポイント）１０２を介してＭＦＰ１０３と通信する端末装置である。ＭＦＰ１０３は、画像処理装置の一例であるが、ＭＦＰ１０３単体を画像処理システムと称しても良いし、ＭＦＰ１０３とタブレット型端末１０１を含む全体を画像処理システムと称しても良い。タブレット型端末１０１と無線ネットワークルータ１０２とは無線ＬＡＮ（Ｌｏｃａｌ  Ａｒｅａ  Ｎｅｔｗｏｒｋ）で接続されている。ＭＦＰ１０３と無線ネットワークルータ１０２とは有線ＬＡＮで接続されている。また、ＭＦＰ１０３は、公衆回線網（ＰＳＴＮ）にも接続されている。
【００１４】
なお、タブレット型端末１０１とＭＦＰ１０３との通信経路は上述したものに限らない。例えば、タブレット型端末１０１と無線ネットワークルータ１０２とが有線ＬＡＮで接続されていても良い。また、ＭＦＰ１０３と無線ネットワークルータ１０２とが無線ＬＡＮで接続されていても良い。更に、タブレット型端末１０１とＭＦＰ１０３とが同一ネットワークに接続されていても良い。なお、タブレット型端末１０１、ＭＦＰ１０３はそれぞれ、複数が存在していてもよい。以降、タブレット型端末１０１を「端末１０１」と略記することもある。なお、端末１０１の形態はタブレット型であることは必須でなく、据え置き型であってもよい。
【００１５】
図２は、ＭＦＰ１０３のハードウェア構成図である。制御部２１０は、制御手段としてのＣＰＵ２１１を有し、ＭＦＰ１０３全体の動作を制御する。ＣＰＵ２１１は、ＲＯＭ２１２に記憶された制御プログラムを読み出して、読取／印刷／通信などの各種制御を行う。ＲＡＭ２１３は、ＣＰＵ２１１の主メモリ、ワークエリア等の一時記憶領域として用いられる。なお、ＭＦＰ１０３は１つのＣＰＵ２１１が１つのメモリ（ＲＡＭ２１３またはＨＤＤ２１４）を用いて後述するフローチャートに示す各処理を実行するものとするが、他の態様であっても構わない。例えば、複数のＣＰＵや複数のＲＡＭまたはＨＤＤが協働してフローチャートに示す各処理を実行するようにすることもできる。
【００１６】
ＨＤＤ２１４は、画像データや各種プログラムを記憶する。操作部Ｉ／Ｆ２１５は、操作手段としての操作部２２０と、制御部２１０とを接続する。操作部２２０には、タッチパネル機能を有する液晶表示部やキーボードなどが備えられており、ユーザによる操作／入力／指示を受け付ける受付手段としての役割を担う。
【００１７】
プリンタＩ／Ｆ２１６は、プリンタ２２１と制御部２１０とを接続する。プリンタ２２１で印刷すべき画像データはプリンタＩ／Ｆ２１６を介して制御部２１０から転送され、プリンタ２２１により記録媒体上に印刷される。スキャナＩ／Ｆ２１７は、読取手段としてのスキャナ２２２と、制御部２１０とを接続する。スキャナ２２２は、原稿上の画像を読み取って画像データを生成し、スキャナＩ／Ｆ２１７を介して画像データを制御部２１０に入力する。
【００１８】
モデムＩ／Ｆ２１８は、モデム２２３と制御部２１０とを接続する。モデム２２３は、ＰＳＴＮに接続され、図示しないファックス装置との間における画像データのファックス通信を実行する。受信手段としてのネットワークＩ／Ｆ２１９は、制御部２１０（ＭＦＰ１０３）を有線ＬＡＮに接続する。ＭＦＰ１０３は、ネットワークＩ／Ｆ２１９を用いて外部装置との間で画像データや各種情報を送受信することができる。
【００１９】
図３は、ＭＦＰ１０３のソフトウェア構成図である。図３において実線で示した各部は、ＣＰＵ２１１がＲＯＭ２１２またはＨＤＤ２１４に記憶されたプログラムを読み出して実行することにより実現されるソフトウェアモジュールである。ＵＩ（Ｕｓｅｒ  Ｉｎｔｅｒｆａｃｅ）部３０１は、操作部２２０（図２）を介して各種情報をユーザに提供するとともに、ユーザからの各種指示を受け付ける。Ｊｏｂ  Ｃｏｎｔｒｏｌｌｅｒ部（ジョブコントローラ部）３０２は、コピーやプリント、ファックスなどのジョブを受け付け、受け付けたジョブの実行を制御する。Ｐｒｏｔｏｃｏｌ  Ｓｔａｃｋ部（プロトコルスタック部）３０４は、ＴＣＰ／ＩＰやＨＴＴＰ（Ｈｙｐｅｒｔｅｘｔ  Ｔｒａｎｓｆｅｒ  Ｐｒｏｔｏｃｏｌ）などの各種ネットワークプロトコルを保持する。
【００２０】
本実施の形態において、端末１０１から送信される画像データは、Ｐｒｏｔｏｃｏｌ  Ｓｔａｃｋ部３０４に保持されたネットワークプロトコルに従い、ネットワークＩ／Ｆ２１９を介して受信される。受信された画像データは、Ｉｍａｇｅ  Ｆｉｌｅ部（イメージファイル部）３０３によって格納される。Ｉｍａｇｅ  Ｆｉｌｅ部３０３は、ＲＡＭ２１３やＨＤＤ２１４に格納された画像データを管理するソフトウェアモジュールである。
【００２１】
Ｉｍａｇｅ  Ｆｉｌｅ部３０３には、ネットワークＩ／Ｆ２１９を介して受信した画像データだけでなく、スキャナ２２２によって生成された画像データも格納される。スキャナ２２２による画像データの生成は、Ｓｃａｎ部（スキャン部）３０６によって制御される。Ｆａｘ部（ファックス部）３０５は、モデム２２３を介したファックス通信を制御する。ＭＦＰ１０３からのファックス送信を行う場合は、Ｆａｘ部３０５が、Ｉｍａｇｅ  Ｆｉｌｅ部３０３に格納されている画像データを読み出して送信する。
【００２２】
ＯＳ部（Ｏｐｅｒａｔｉｎｇ  Ｓｙｓｔｅｍ部）３０８は、各モジュールやタスクを調整し、ＭＦＰ１０３のソフトウェア全体を管理する。ＯＳ部３０８には、Ｄｅｖｉｃｅ  Ｄｒｉｖｅｒ部（デバイスドライバ部）３０７が組み合わされている。Ｄｅｖｉｃｅ  Ｄｒｉｖｅｒ部３０７は、スキャナ２２２やモデム２２３などのハードウェアデバイスを制御する。
【００２３】
Ａｕｔｈｅｎｔｉｃａｔｉｏｎ部（認証部）３０９は、ユーザ認証を制御するモジュールである。ユーザ認証機能は、有効と無効とに切り替えることが可能となっている。ＭＦＰ１０３においてユーザ認証機能が有効にされている場合、ユーザは、操作部２２０を介して、ユーザ名及びパスワードから成る認証情報を入力するログイン操作を行う必要がある。Ａｕｔｈｅｎｔｉｃａｔｉｏｎ部３０９は、入力された認証情報を予め登録された認証情報と照合して認証の成否を判断し、認証可（成功）となった場合にのみ、そのユーザはＭＦＰ１０３を使用することができる。なお、ＭＦＰ１０３において、ユーザ認証機能が無効になっている場合、ログイン操作及び、Ａｕｔｈｅｎｔｉｃａｔｉｏｎ部３０９による認証無しに、ユーザはＭＦＰ１０３を使用することができる。
【００２４】
図４は、端末１０１のハードウェア構成図である。ＣＰＵ４１１を含む制御部４１０は、端末１０１全体の動作を制御する。ＣＰＵ４１１は、メモリ４１２に記憶された制御プログラムを読み出して各種制御を行う。また、メモリ４１２は、ＣＰＵ４１１の主メモリ、ワークエリア等の一時記憶領域としても用いられる。なお、端末１０１は１つのＣＰＵ４１１が１つのメモリ４１２を用いて各処理を実行するものとするが、他の態様であっても構わない。例えば、複数のＣＰＵや複数のメモリが協働して各処理を実行するようにすることもできる。
【００２５】
操作部Ｉ／Ｆ４１３は、操作部４２０と制御部４１０とを接続する。操作部４２０には、タッチパネル機能を有する液晶表示部が備えられており、ユーザによる操作、入力、指示等を受け付ける受付部としての役割を担う。ネットワークＩ／Ｆ４１４は、制御部４１０（端末１０１）を無線ＬＡＮに接続する。端末１０１は、ネットワークＩ／Ｆ４１４を用いて外部装置に画像データや情報を送信したり、各種情報を受信したりすることができる。
【００２６】
本実施の形態において、端末１０１からＭＦＰ１０３に対して送信され、ネットワークＩ／Ｆ２１９によって受信される指示には、少なくとも、第１の送信処理（読取送信処理）の指示と第２の送信処理の指示とがある。第１の送信処理の指示は、ＭＦＰ１０３において、スキャナ２２２に原稿を読み取らせ、それにより生成された画像データを、Ｆａｘ部３０５及びモデム２２３によってファックス送信させる指示である。一方、第２の送信処理の指示は、端末１０１側で用意した画像データを、ＭＦＰ１０３において、送信手段（Ｆａｘ部３０５及びモデム２２３）によってファックス送信させる指示である。
【００２７】
図５は、端末１０１に表示されるファックス送信アプリケーションの操作画面の一例を示す図である。ファックス送信アプリケーションは、インターネット上のサーバからダウンロードして端末１０１に追加インストールすることが可能なアプリケーションであり、ＯＳ部３０８上で操作するソフトウェアである。ファックス送信アプリケーションを用いることにより、ＭＦＰ１０３にファックス送信を行わせるための設定を端末１０１側で行うことができる。後述する端末１０１の動作はファックス送信アプリケーションからの指示に基づいて実行される。
【００２８】
特に、図５に示す操作画面は、端末１０１のユーザが第１の送信処理の指示を送信しようとする際に操作部４２０に表示される。端末１０１において、所定の操作によってファックス送信アプリケーションが起動されると、図５に示す操作画面が表示される。この操作画面において、設定欄５０１は、ファックス送信を実行させるＭＦＰを設定する欄である。ＭＦＰが複数存在する場合に、設定欄５０１によって１つのＭＦＰが選択される。すなわち、ユーザが設定欄５０１にタッチすると、端末１０１が周囲にあるＭＦＰを検索し、見つかったＭＦＰが一覧表示される。ユーザは、表示されたＭＦＰからファックス送信を実行させるＭＦＰを選択することができる。
【００２９】
設定欄５０２は、ファックス送信の宛先となる電話番号（ファックス番号）を設定する欄である。ユーザは、端末１０１に表示されるソフトキーボードを用いて電話番号を入力しても良いし、端末１０１に記憶されているアドレス帳を参照して電話番号を選択しても良い。
【００３０】
設定欄５０３は、ＭＦＰ１０３のスキャナ２２２を用いて実行するスキャン処理（読取処理）の詳細設定を行う欄である。ユーザが設定欄５０３をタッチすると、解像度や原稿サイズ、カラー／モノクロなどの読取パラメータを指定するための画面が表示され、端末１０１はこの画面を介してユーザからスキャン設定を受け付ける。
【００３１】
ファックス送信キー５０４は、ＭＦＰ１０３に対してファックス送信の実行を指示するためのキーである。設定欄５０１、５０２、５０３での設定が済んだ後にファックス送信キー５０４が押下されると、端末１０１とＭＦＰ１０３との通信が開始される。
【００３２】
図６は、端末１０１が第１の送信処理を指示する場合の、端末１０１とＭＦＰ１０３との間における処理のシーケンスを示す図である。
【００３３】
ステップＳ６０１では、端末１０１は、図５に示した操作画面を介してユーザからの設定を受け付ける。ステップＳ６０２では、端末１０１は、ジョブ生成のためのコマンドをＭＦＰ１０３に送信する。このコマンドには、端末１０１を操作しているユーザの認証情報が付加されているものとする。このコマンドを受けたＭＦＰ１０３は、ステップＳ６０３で、レスポンスＯＫを端末１０１に応答する。
【００３４】
ステップＳ６０４では、端末１０１は、スキャンの実行を指示するスキャンコマンドをＭＦＰ１０３に送信する。このスキャンコマンドを受信したＭＦＰ１０３は、ステップＳ６０５で、スキャンコマンドを受け付け可能かどうか判定する。このスキャンコマンド受け付け判定処理については図１１で後述する。スキャンコマンドを受け付け可能か否かの判定は、第１の送信処理の受け付けの可否の判定と同じ意味である。これから説明するように、判定の結果、受け付けを許可した場合は第１の送信処理が実行され、許可されない場合は第１の送信処理は実行されない。スキャンコマンドを受け付け可能な場合、処理はステップＳ６０６に進み、受け付け不能な場合、処理はステップＳ６１５に進む。
【００３５】
ステップＳ６０６では、ＭＦＰ１０３は、レスポンスＯＫを端末１０１に応答する。次にステップＳ６０７では、端末１０１は、ジョブ終了のためのコマンドをＭＦＰ１０３に送信する。このコマンドを受けたＭＦＰ１０３は、ステップＳ６０８で、レスポンスＯＫを端末１０１に応答する。ＭＦＰ１０３は、端末１０１からのジョブ通信を受信し終わると、ステップＳ６０９で、原稿スキャンを受け付けたことを示す原稿スキャン受け付け画面（図７）を操作部２２０に表示する。
【００３６】
図７に示すように、原稿スキャン受け付け画面には、読み取りを行うボタン７０１とキャンセルボタン７０２とが表示される。次に、ステップＳ６１０では、ユーザが、読み取りを行うボタン７０１を押下選択すると、ＭＦＰ１０３は、ステップＳ６１１で操作部２２０にスキャン設定画面を表示する。従って、第１の送信処理におけるスキャンの開始のための設定へと処理が移行することになる。一方、キャンセルボタン７０２が押下選択されると、ＭＦＰ１０３は、その旨を示すレスポンスを端末１０１に送信する。
【００３７】
このスキャン設定画面は図示しないが、図５の操作画面で設定欄５０３が選択された場合に表示されるのと同様の内容を表示する画面である。ステップ６１２で、ユーザがスキャン設定画面の項目を設定し、スキャン実行開始を指示すると、ステップＳ６１３で、ＭＦＰ１０３は、スキャン設定画面で設定された項目に従いスキャンを行う。具体的には、ＣＰＵ２１１がスキャナ２２２を制御して、原稿を読み取らせ画像データを生成させる。スキャン処理は、図５の設定欄５０３に設定された内容に従うが、ステップＳ６１１で表示したスキャン設定画面で設定内容が変更された場合は、変更後の設定に従うものとする。そして、ステップＳ６１４で、ＭＦＰ１０３は、スキャンして生成された画像データのファックス送信を行う。具体的には、ＣＰＵ２１１がＦａｘ部３０５及びモデム２２３を制御して、画像データをファックス送信させる。このファックス送信の宛先は、図５の設定欄５０２で設定された電話番号である。
【００３８】
一方、ステップＳ６０５の判定の結果、スキャンコマンドの受け付けが不可能だった場合は、ＭＦＰ１０３は、ステップＳ６１５で、受け付け不可能であることを示すＢｕｓｙをレスポンスとして端末１０１に返す。端末１０１はＢｕｓｙを受けると、ステップＳ６１６で一定時間を待ってから再度、スキャンコマンドを送信する。ＭＦＰ１０３は、ステップＳ６１７で再度、スキャンコマンドの受け付け可否の判定を行い、その判定結果をステップＳ６１５またはステップＳ６１８で返す。
【００３９】
端末１０１は、スキャンコマンドの受け付けが許可されるまで、スキャンコマンド送信を繰り返す。受け付けが許可されると、処理はステップＳ６０６に移行する。ただし、繰り返しの送信回数が所定の回数を超えた場合や、送信を繰り返している総時間が所定の時間を超えた場合は、エラーが通知されるようにしてもよい。
【００４０】
以上のように、ＭＦＰ１０３は、端末１０１からスキャンコマンドを含むファックス送信ジョブが指示されると、スキャンコマンドの受け付け可否を判定する。そして、受け付け可能な場合に、ＭＦＰ１０３は操作部２２０に原稿スキャン受け付け画面（図７）を表示させ、ユーザのスキャン実行指示を待って、ＭＦＰ１０３で原稿をスキャンし、それにより得られた画像データをファックス送信する。前述のように、第１の送信処理では、ＭＦＰ１０３によるスキャンで得られた画像データがファックス送信される。これに対し、端末１０１側で用意した画像データをＭＦＰ１０３からファックス送信する第２の送信処理を、図８〜図１０で説明する。
【００４１】
図８は、端末１０１に表示されるデータ管理アプリケーションの操作画面の一例を示す図である。端末１０１には、ネットワーク上からダウンロードした画像データや端末１０１に備えられたカメラ機能を用いて撮影した画像データが記憶されている。これらの画像データは、端末１０１にインストールされたデータ管理アプリケーションを用いて順次切り替えて表示することが可能である。図８の操作画面は、記憶されている画像データの一つが表示された様子を示している。
【００４２】
図８の操作画面において、ユーザが操作キー８０１を押下すると、現在表示されている画像データに対して実行する機能を選択する画面が表示される。この画面には、メール送信アプリケーションや印刷アプリケーションなどの他に、上述したファックス送信アプリケーションが選択候補として表示される。これらの選択候補のうち、ユーザがファックス送信アプリケーションを選択すると、図９に示す操作画面に切り替わる。なお、上記の各アプリケーションは、インターネット上のサーバからダウンロードして端末１０１に追加インストールすることが可能である。
【００４３】
図９は、端末１０１のユーザが第２の送信処理の指示を送信しようとする際に操作部４２０に表示される、ファックス送信アプリケーションの操作画面の一例を示す図である。この操作画面において、設定欄９０１、９０２、９０３は、それぞれ図５で説明した設定欄５０１、５０２、５０４と同様である。
【００４４】
図１０は、端末１０１が第２の送信処理を指示する場合の、端末１０１とＭＦＰ１０３との間における処理のシーケンスを示す図である。
【００４５】
端末１０１は、ステップＳ１００１で、図８の操作画面を介してユーザからの画像選択を受け付け、ステップＳ１００２で、図９の操作画面を介してユーザからの設定を受け付ける。端末１０１は、ステップＳ１００３で、ジョブ生成のためのコマンドをＭＦＰ１０３へ送信する。このコマンドを受けたＭＦＰ１０３は、ステップＳ１００４でレスポンスＯＫを端末１０１に応答する。
【００４６】
ステップＳ１００５では、端末１０１は、画像コマンドをＭＦＰ１０３へ送信する。この画像コマンドには、ＭＦＰ１０３からファックス送信すべき画像データが含まれる。この画像データは、端末１０１で取得されたものであり、図８の操作画面に表示されていたものである。画像コマンドを受けたＭＦＰ１０３は、ステップＳ１００６でレスポンスＯＫを端末１０１に応答する。
【００４７】
ステップＳ１００７では、端末１０１は、ジョブ終了のためのコマンドをＭＦＰ１０３に送信する。このコマンドを受けたＭＦＰ１０３は、ステップＳ１００８でレスポンスＯＫを端末１０１に応答する。ＭＦＰ１０３は、ステップＳ１００９では、端末１０１から受信した画像データをファックス送信する。このファックス送信の宛先は、設定欄９０２に設定された電話番号である。
【００４８】
このようにして、端末１０１で設定された内容に従って、端末１０１からＭＦＰ１０３に送信した画像データを、ＭＦＰ１０３からファックス送信する処理（第２の送信処理）が行われる。第２の送信処理では、ＭＦＰ１０３側でのスキャン処理が実行されない。このため、第１の送信処理とは異なり、ユーザによるＭＦＰ１０３の操作を待つ必要はなく、ファックス送信処理が速やかに実行される。
【００４９】
図１１は、スキャンコマンド受け付け判定処理を示すフローチャートである。図１１のフローチャートに示す各動作（ステップ）は、ＭＦＰ１０３において、制御部２１０のＣＰＵ２１１がＲＯＭ２１２に記憶された制御プログラムを実行することにより実現される。この処理は、端末１０１が第１の送信処理を指示したことで、ＭＦＰ１０３が端末１０１からスキャンコマンドを受信した場合に、図６のステップＳ６０５で実行される。
【００５０】
まず、ステップＳ１１０１では、ＣＰＵ２１１は、ＭＦＰ１０３のユーザ認証機能が有効であるか否かを判別する。その判別の結果、ＣＰＵ２１１は、認証機能が有効である場合は処理をステップＳ１１０５に進める一方、無効である場合処理をステップＳ１１０２に進める。
【００５１】
ステップＳ１１０５では、ＣＰＵ２１１は、端末１０１から（図６のステップＳ６０２で）送られた、ジョブ生成のためのコマンドに付加された認証情報と、現在ログイン中のユーザの認証情報とが一致するか否かを判別する。その判別の結果、両認証情報が一致する場合は、認証が成功したので、ＣＰＵ２１１は、ステップＳ１１０４に進み、スキャンコマンドの受け付けを可能とする。従って、第１の送信処理の受け付けは許可される。一方、両認証情報が一致しなかった場合は、認証が成功しなかったので、ＣＰＵ２１１は、ステップＳ１１０３に進み、スキャンコマンドの受け付けを不可能とする。従って、第１の送信処理の受け付けは許可されない。ステップＳ１１０３、Ｓ１１０４の処理後は、図１１の処理は終了する。
【００５２】
ステップＳ１１０２では、ＣＰＵ２１１はまず、スキャンコマンドを受信した際の操作部２２０の操作状態を判別する。具体的にはＣＰＵ２１１は、ＭＦＰ１０３の操作部２２０にトップ画面が表示されていることまたは、最後に操作部２２０が操作されてから一定時間が経過していることの、少なくともいずれかが成立するという条件を満たすか否かを判別する。なお、一定時間の長さに限定はない。ここで、トップ画面は、操作部２２０に表示されている画面であって、コピー、スキャン、ファックスなどの各ファンクションを利用するための画面である。これについて図１２で説明する。
【００５３】
図１２は、操作部２２０に表示される画面の遷移を示した図である。ホーム画面１２０１は、ＭＦＰ１０３で実行するファンクションを選択するための機能選択画面である。ホーム画面１２０１において、コピーボタン１２０７が選択されるとコピー画面１２０２に切り替わる。スキャンボタン１２０８が選択されるとスキャン画面１２０３に切り替わる。ファックスボタン１２０９が選択されるとファックス画面１２０４に切り替わる。前述したトップ画面には、ホーム画面１２０１のような各ファンクションを選択する画面と、各ファンクションの画面１２０２〜１２０４が該当する。
【００５４】
なお、コピー画面１２０２のカラーモード表示領域１２１０が選択されると、カラーモード選択画面１２０５に切り替わる。このカラーモード選択画面１２０５のように、選択された機能に関するパラメータを設定するための画面は、トップ画面には含まれない。なお、ファンクションのパラメータを設定する際に、画面を切り替えずに表示されるポップアップ表示もトップ画面には含まれない。
【００５５】
ステップＳ１１０２の判別の結果、上記条件を満たす場合は、操作部２２０の操作状態としては、ジョブ生成のためのコマンドを送信した送信元のユーザとは異なる別のユーザによる操作中ではないと判断できる。そこでＣＰＵ２１１は、スキャンコマンドの受け付けを可能とし、第１の送信処理の受け付けを許可する（ステップＳ１１０４）。一方、ステップＳ１１０２の判別の結果、操作部２２０にトップ画面が表示されておらず且つ、操作部２２０の操作が一定時間以上継続して無い場合は、上記条件を満たさない。この場合、ジョブ生成のためのコマンドを送信した送信元のユーザとは異なる別のユーザによる操作中の可能性があると判断できる。そこでＣＰＵ２１１は、スキャンコマンドの受け付けを不可能とし、第１の送信処理の受け付けを許可しない（ステップＳ１１０３）。
【００５６】
このように、ＭＦＰ１０３においてユーザ認証が有効になっていない場合であっても、ＣＰＵ２１１は、他のユーザによるＭＦＰ１０３の操作状態に応じて、第１の送信処理の受け付け可否を判定する。そして、他のユーザ操作中には第１の送信処理を受け付けないことで、他のユーザによる誤操作が防止される。なお、何を操作状態と定義するか、あるいは、操作状態の判定手法については、例示したものに限定されるものではない。
【００５７】
本実施の形態によれば、ＭＦＰ１０３は、タブレット型端末１０１から第１の送信処理の指示を受信した場合に、操作部２２０の操作状態に基づいて、第１の送信処理の受け付けの可否を判定する。そしてその判定の結果、受け付けを許可した場合は、ＣＰＵ２１１は、スキャナ２２２を制御して原稿を読み取らせ画像データを生成させると共に、Ｆａｘ部３０５及びモデム２２３を制御して、画像データをファックス送信させる。しかし、受け付けを許可しなかった場合は、ＣＰＵ２１１は、第１の送信処理を実行しない。
【００５８】
これにより、ユーザ認証の利用の有無にかかわらず、原稿画像の第１の送信処理（読取送信処理）に関し、処理を指示したユーザとは別のユーザによる誤操作を抑止することができる。特に、第１の送信処理の指示元のユーザを認証する認証機能を有しない場合や、認証機能を有していても無効である場合においても、操作部２２０の操作状態に基づく第１の送信処理の受け付けの可否の判定は行われる。従って、認証機能が利用できない状況であっても、別のユーザによる誤操作を抑止することができる。従って、複数のユーザがＭＦＰ１０３を共有して使用する場合であっても、ユーザ認証機能を必須とすることなく、他のユーザによるＭＦＰ１０３の操作よる原稿読み取り送信ジョブの誤操作防止のしくみが提供される。
【００５９】
一方、認証機能が有効である場合は、操作部２２０の操作状態にかかわらず、認証機能による認証の結果に基づいて第１の送信処理の受け付けの可否が判定されるので、認証の成功により第１の送信処理に速やかに移行できる。
【００６０】
また、ＣＰＵ２１１は、受け付けを許可しなかった場合には、受け付けを許可しなかった旨を示す情報を、指示の送信元に対して、Ｂｕｓｙをレスポンスとして返送する（図６のステップＳ６１５）。これにより、第１の送信処理が実行されないことを通知することができる。
【００６１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６２】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００６３】
１０３  ＭＦＰ
２１１  ＣＰＵ
２１０  制御部
２１９  ネットワークＩ／Ｆ
２２０  操作部
２２２  スキャナ
２２３  モデム
３０５  Ｆａｘ部
【図１】
2019036970.tif 000003
【図２】
2019036970.tif 000004
【図３】
2019036970.tif 000005
【図４】
2019036970.tif 000006
【図５】
2019036970.tif 000007
【図６】
2019036970.tif 000008
【図７】
2019036970.tif 000009
【図８】
2019036970.tif 000010
【図９】
2019036970.tif 000011
【図１０】
2019036970.tif 000012
【図１１】
2019036970.tif 000013
【図１２】
2019036970.tif 000014
【手続補正書】
【提出日】平成30年10月4日(2018.10.4)
【手続補正２】
【補正対象書類名】明細書
【補正対象項目名】０００９
【補正方法】変更
【補正の内容】
【０００９】
上記目的を達成するために本発明は、無線ネットワークを介してモバイル端末と通信可能な画像処理装置であって、原稿を読み取る読取手段と、少なくとも送信機能とコピー機能を含む複数の機能の中から使用する機能を選択するための選択画面を操作部上に表示する表示制御手段と、前記無線ネットワークを介してモバイル端末から前記送信機能に関連する指示を受信する受信手段と、前記読取手段で原稿を読み取ることで得られた画像データに基づくデータを外部の宛先に送信する送信手段と、を有し、前記表示制御手段は、前記選択画面が前記操作部上に表示された状態で、前記受信手段が前記指示を受信したことに従って、前記操作部上に所定の情報を表示するよう制御し、前記所定の情報が前記操作部上に表示された状態で、前記操作部を介した第１のユーザ操作を受け付けたことに従って、前記送信機能で使用する送信宛先として、前記モバイル端末上の設定画面で設定された宛先が設定された送信設定画面を前記操作部上に表示するよう制御し、
前記送信手段は、前記送信設定画面が前記操作部上に表示された状態で、前記操作部を介して前記送信機能に関する処理を実行するユーザ操作を受け付けたことに従って、前記データを前記送信宛先へ送信することを特徴とする。
【手続補正３】
【補正対象書類名】特許請求の範囲
【補正対象項目名】全文
【補正方法】変更
【補正の内容】
【特許請求の範囲】
【請求項１】
無線ネットワークを介してモバイル端末と通信可能な画像処理装置であって、
原稿を読み取る読取手段と、
少なくとも送信機能とコピー機能を含む複数の機能の中から使用する機能を選択するための選択画面を操作部上に表示する表示制御手段と、
前記無線ネットワークを介してモバイル端末から前記送信機能に関連する指示を受信する受信手段と、
前記読取手段で原稿を読み取ることで得られた画像データに基づくデータを外部の宛先に送信する送信手段と、
を有し、
前記表示制御手段は、前記選択画面が前記操作部上に表示された状態で、前記受信手段が前記指示を受信したことに従って、前記操作部上に所定の情報を表示するよう制御し、前記所定の情報が前記操作部上に表示された状態で、前記操作部を介した第１のユーザ操作を受け付けたことに従って、前記送信機能で使用する送信宛先として、前記モバイル端末上の設定画面で設定された宛先が設定された送信設定画面を前記操作部上に表示するよう制御し、
前記送信手段は、前記送信設定画面が前記操作部上に表示された状態で、前記操作部を介して前記送信機能に関する処理を実行するユーザ操作を受け付けたことに従って、前記データを前記送信宛先へ送信することを特徴とする画像処理装置。
【請求項２】
前記表示制御手段は、前記選択画面とは異なる画面が表示されている状態で、前記モバイル端末から前記指示を受信した場合は、前記操作部上に前記所定の情報を表示することなく、前記選択画面とは異なる画面を表示し続けることを特徴とする請求項１に記載の画像処理装置。
【請求項３】
前記表示制御手段は、前記選択画面とは異なる画面が表示されている状態で、前記モバイル端末から前記指示を受信した場合であっても、前記画像処理装置が所定の期間、ユーザ操作を受け付けていない状態であると判断した場合は、前記操作部上に前記所定の情報を表示するよう制御することを特徴とする請求項２に記載の画像処理装置。
【請求項４】
前記選択画面とは異なる画面は、コピー機能に関する画面であることを特徴とする請求項２又は３に記載の画像処理装置。
【請求項５】
前記モバイル端末から前記指示を受信した場合であって、尚且つ、前記操作部上に前記所定の情報を表示しない場合に、前記指示を送信したモバイル端末に対してエラーを通知する第１の通知手段を更に備えることを特徴とする請求項２乃至４のいずれか１項に記載の画像処理装置。
【請求項６】
ユーザ認証機能を使用するか否かを設定する設定手段を更に備え、
前記表示制御手段は、前記設定手段によりユーザ認証機能を使用すると設定されていることに従って、前記操作部上に表示されている画面に関わらず、前記モバイル端末から受信した指示に含まれる認証情報に基づいて、前記操作部上に前記所定の情報を表示するか否かの処理を異ならせることを特徴とする請求項１乃至５のいずれか１項に記載の画像処理装置。
【請求項７】
前記認証情報に対応するユーザと、前記画像処理装置にログイン中のユーザとが一致するか否かを判定する判定手段を更に備え、
前記表示制御手段は、前記設定手段によりユーザ認証機能を使用すると設定され尚且つ、前記判定手段によって前記認証情報に対応するユーザと前記画像処理装置にログイン中のユーザとが一致すると判定された場合に、前記指示を受信したことに従って、前記操作部上に前記所定の情報を表示することを特徴とする請求項６に記載の画像処理装置。
【請求項８】
前記所定の情報には、前記送信機能に関するガイダンスと、前記送信機能の実行に進むための表示アイテムとが含まれており、前記第１のユーザ操作は、前記送信機能の実行に進むための表示アイテムを選択するユーザ操作であることを特徴とする請求項１乃至７のいずれか１項に記載の画像処理装置。
【請求項９】
前記所定の情報には、前記指示に基づくデータ送信をキャンセルするための表示アイテムが更に含まれており、
前記データ送信をキャンセルするための表示アイテムを選択するユーザ操作が受け付けられたことに従って、前記指示を送信したモバイル端末に対して前記指示に基づくデータ送信がキャンセルされたことを通知する第２の通知手段を更に備えることを特徴とする請求項１乃至８のいずれか１項に記載の画像処理装置。
【請求項１０】
前記送信宛先はファクシミリ番号であり、前記送信手段は当該ファクシミリ番号に基づいてファクス装置にファクシミリデータを送信することを特徴とする請求項１乃至９のいずれか１項に記載の画像処理装置。
【請求項１１】
無線ネットワークを介してモバイル端末と通信可能な画像処理装置の制御方法であって、
少なくとも送信機能とコピー機能を含む複数の機能の中から使用する機能を選択するための選択画面を操作部上に表示する第１の表示制御工程と、
前記無線ネットワークを介してモバイル端末から前記送信機能に関連する指示を受信する受信工程と、
前記選択画面が前記操作部上に表示された状態で、前記受信工程で前記指示が受信されたことに従って、前記操作部上に所定の情報を表示するよう制御する第２の表示制御工程と、
前記所定の情報が前記操作部上に表示された状態で、前記操作部を介した第１のユーザ操作を受け付けたことに従って、前記送信機能で使用する送信宛先として、前記モバイル端末上の設定画面で設定された宛先が設定された送信設定画面を前記操作部上に表示するよう制御する第３の表示制御工程と、
前記送信設定画面が前記操作部上に表示された状態で、前記操作部を介して前記送信機能に関する処理を実行するユーザ操作を受け付けたことに従って、読取部を介して原稿を読み取ることで得られた画像データに基づくデータを前記送信宛先に送信する送信制御工程と、
を有することを特徴とする画像処理装置の制御方法。
【請求項１２】
請求項１１に記載の画像処理装置の制御方法をコンピュータに実行させるためのプログラム。
【請求項１３】
無線ネットワークを介してモバイル端末と通信可能であり、少なくとも送信機能を含む２以上の機能を有する画像処理装置であって、
原稿を読み取る読取手段と、
前記無線ネットワークを介してモバイル端末から前記送信機能に関連する指示を受信する受信手段と、
前記読取手段で原稿を読み取ることで得られた画像データに基づくデータを外部の宛先に送信する送信手段と、
前記受信手段が前記指示を受信したことに従って、第１の表示アイテムと第２の表示アイテムとを含む確認画面を操作部上に表示するよう制御し、前記第１の表示アイテムを選択するユーザ操作を受け付けたことに従って、前記送信機能で使用する送信宛先として、前記モバイル端末上の設定画面で設定された宛先が設定された送信設定画面を前記操作部上に表示する表示制御手段と、
前記第２の表示アイテムを選択するユーザ操作を受け付けたことに従って、前記指示に基づく送信処理をキャンセルするよう制御する制御手段と、
を有し、
前記送信手段は、前記送信設定画面が前記操作部上に表示された状態で、前記操作部を介して前記送信機能に関する処理を実行するユーザ操作を受け付けたことに従って、前記データを前記送信宛先へ送信することを特徴とする画像処理装置。